(57)【要約】【課題】コンパクトで、後方視でも小さく見える自転車用尾灯を提供する。【解決手段】内部に発光体１を包囲状に有すると共に発光体１から照射される光を透過して後方を照射するための光透過壁部２を一体状に有するケーシング１０と、乾電池Ｂを収納した電池ボックス３とを、備え、さらに、ケーシング１０は、前方下傾状の差込凹所１１を一体状に有し、電池ボックス３を差込凹所１１に、抜き差し自在に差込み、かつ、電池ボックス３の前方下端部３Ａを、自転車のパイプ部に固着する取付具に、着脱自在に取付ける。【選択図】図２
0003166874.tif 000002
【実用新案登録請求の範囲】
【請求項１】
内部に発光体（１）を包囲状に有すると共に該発光体（１）から照射される光を透過して後方を照射するための光透過壁部（２）を一体状に有するケーシング（１０）と、乾電池（Ｂ）を収納した電池ボックス（３）とを、備え、
さらに、上記ケーシング（１０）は、前方下傾状の差込凹所（１１）を一体状に有し、上記電池ボックス（３）を該差込凹所（１１）に、抜き差し自在に差込み、かつ、該電池ボックス（３）の前方下端部（３Ａ）を、自転車のパイプ部（Ｐ）に固着する取付具（４）に、着脱自在に取付けることを特徴とする自転車用尾灯。
【請求項２】
上記ケーシング（１０）の上記差込凹所（１１）の奥部（１１Ａ）に、電気接続端子部（１２）が付設され、さらに、上記電池ボックス（３）は、後方上部に開口部（３Ｂ）を有する有底筒型であって、上記乾電池（Ｂ）が該開口部（３Ｂ）から僅かに突出状として収納されている請求項１記載の自転車用尾灯。
【請求項３】
上記ケーシング（１０）は、上記取付具（４）を介して自転車のパイプ部（Ｐ）に取付けられた使用状態に於て、上記差込凹所（１１）の開口周縁部（１１Ｂ）が略水平状の同一平面上に有るように形成され、下方に向けて開口している請求項１又は２記載の自転車用尾灯。
【考案の詳細な説明】
【技術分野】
【０００１】
本考案は、自転車用尾灯に関する。
【背景技術】
【０００２】
従来、ケーシング内に乾電池を内蔵し、発光体からの光で後方を照射する自転車用尾灯が提案されている（特許文献１参照）。
【先行技術文献】
【特許文献】
【０００３】
【特許文献１】特開平８−８０８８３号公報
【考案の概要】
【考案が解決しようとする課題】
【０００４】
しかし、従来の自転車用尾灯は、乾電池を内蔵している分、ケーシングが大型になってしまうという欠点があった。また、（自転車の）後方から見てケーシングが目立ってしまい、見た目が悪かった。
【０００５】
そこで、本考案は、コンパクトで、後方視でも小さく見える自転車用尾灯を提供することを目的とする。
【課題を解決するための手段】
【０００６】
本考案に係る自転車用尾灯は、内部に発光体を包囲状に有すると共に該発光体から照射される光を透過して後方を照射するための光透過壁部を一体状に有するケーシングと、乾電池を収納した電池ボックスとを、備え、さらに、上記ケーシングは、前方下傾状の差込凹所を一体状に有し、上記電池ボックスを該差込凹所に、抜き差し自在に差込み、かつ、該電池ボックスの前方下端部を、自転車のパイプ部に固着する取付具に、着脱自在に取付けるものである。
【０００７】
また、上記ケーシングの上記差込凹所の奥部に、電気接続端子部が付設され、さらに、上記電池ボックスは、後方上部に開口部を有する有底筒型であって、上記乾電池が該開口部から僅かに突出状として収納されているものである。
また、上記ケーシングは、上記取付具を介して自転車のパイプ部に取付けられた使用状態に於て、上記差込凹所の開口周縁部が略水平状の同一平面上に有るように形成され、下方に向けて開口しているものである。
【考案の効果】
【０００８】
本考案の自転車用尾灯によれば、乾電池を取り付け用アーム兼用の電池ボックスに収納でき、コンパクトで、かつ、見た目が良好である。また、乾電池の交換の際に、ケーシングを開閉する必要がなく、光透過壁部を一体状に接着して、確実にシールすることができ、防水性を確保できる。
【図面の簡単な説明】
【０００９】
【図１】本考案に係る自転車用尾灯の実施の一形態を示した側面図である。
【図２】差込状態のケーシング及び電池ボックスを示した側面断面図である。
【図３】電池ボックスを示した平面図である。
【図４】未差込状態のケーシング及び電池ボックスを示した側面図である。
【図５】ケーシング及び電池ボックスを示した使用状態説明図である。
【図６】差込状態のケーシング及び電池ボックスを示した斜視図である。
【図７】ケーシング及び電池ボックスを示した使用状態説明図である。
【考案を実施するための形態】
【００１０】
以下、実施の形態を示す図面に基づき本考案を詳説する。
図１と図２に示すように、本考案の自転車用尾灯は、内部に発光体１を包囲状に有すると共に発光体１から照射される光を透過して後方を照射するための光透過壁部２を一体状に有するケーシング１０と、乾電池Ｂを収納した電池ボックス３とを、備えている。さらに、ケーシング１０は、前方下傾状の差込凹所１１を一体状に有し、電池ボックス３を差込凹所１１に、抜き差し自在に差込み、かつ、電池ボックス３の前方下端部３Ａを、自転車のパイプ部Ｐに固着する取付具４に、着脱自在に取付けるように構成している。
【００１１】
本考案の自転車用尾灯は、ケーシング１０の差込凹所１１の奥部１１Ａに、電気接続端子部１２が付設されている。
ケーシング１０は、例えばＡＢＳ樹脂から成る成型品であって、光源として高輝度赤色ＬＥＤから成る発光体１を内有している。本考案の自転車用尾灯には、３個の発光体１…を、自転車の後方に向けて並設するのが望ましい。ケーシング１０は、透明乃至半透明のＰＳ樹脂から成る光透過壁部２を、発光体１が光を照射する後方側を覆うように配設している。ケーシング１０は、光透過壁部２の嵌合部を、接着剤等を用いて一体状に密封し、発光体１を包囲している。ケーシング１０の差込凹所１１は、奥部１１Ａから開口周縁部１１Ｂにかけて前方下傾状に形成されており、ケーシング１０の天井面を形成しつつ前方に向けて次第に下傾する上壁部１５と、前方下傾状の下壁部１６とを、有している。ケーシング１０は、差込凹所１１の傾斜に対して直交状の傾斜壁１７が内設され、差込凹所１１に差込まれる乾電池Ｂ（電池ボックス３）に対応するように、傾斜壁１７に電気接続端子部１２が付設されている。なお、ケーシング１０には、発光体１のＯＮ／ＯＦＦを切り換えるスイッチ９が設けられている。
【００１２】
図３に示すように、電池ボックス３は、後方上部に開口部３Ｂを有する有底筒型であって、乾電池Ｂが開口部３Ｂから僅かに突出状として収納されている。
電池ボックス３は、ＡＢＳ樹脂等から成る成型品であり、発光体１の電源としての乾電池Ｂを保持している。なお、本考案の自転車用尾灯は、２個の単４形乾電池Ｂ，Ｂを使用するのが好ましい。電池ボックス３は、前方下端部３Ａを形成する底壁部１３に、電気接続導線部１３Ａを付設している。底壁部１３は、取付用の係止片６，６を突設している。電池ボックス３の外周壁部３Ｃには、プラス・マイナス確認用の刻印２０，２０によって乾電池Ｂ，Ｂの正しい装入方向が表示されている。
【００１３】
図２に示すように、電池ボックス３は、その外周壁部３Ｃに、凹溝５を有している。
凹溝５は、電池ボックス３がケーシング１０に斜めに差し込まれた差込状態下で、差込凹所１１の開口周縁部１１Ｂからケーシング１０内に挿入される電池ボックス３の開口部３Ｂの近傍位置に配設され、ケーシング１０の差込凹所１１との間に微小な隙間を形成している。
また、電池ボックス３は、その外周壁部３Ｃに、突隆部７を突設している。
図６に示すように、突隆部７は、差込状態に於て、凹溝５よりも前方下部に配設されケーシング１０外部に露出している。電池ボックス３とケーシング１０は、突隆部７と、差込凹所１１の開口周縁部１１Ｂとの間に谷部８を形成している。
【００１４】
図１に示すように、ケーシング１０は、取付具４を介して自転車のパイプ部Ｐに取付けられた使用状態に於て、差込凹所１１の開口周縁部１１Ｂが略水平状の同一平面上に有るように形成され、下方に向けて開口している。
取付具４は、ＰＡ樹脂等から成る成型品であって、自転車のパイプ部Ｐに取付自在な固定部４Ｂと、固定部４Ｂに揺動自在に枢着され角度調整自在なブラケット部４Ａとを、有している。ブラケット部４Ａは、係止片６，６を嵌め込み自在に構成され、電池ボックス３を所定の水平姿勢にて支持している。
【００１５】
上述した本考案の自転車用尾灯の使用方法（作用）について説明する。
まず、図３に示すように、電池ボックス３（の外周壁部３Ｃ）に設けられた刻印２０，２０通りにプラス・マイナスを確認して乾電池Ｂを装入する。
次に、図４と図５に示すように、ケーシング１０に対して、電池ボックス３を斜め下から上に押し付けるように挿入し、カチッと音がするまで矢印Ｆ方向に差込んで、嵌着する。この状態で、乾電池Ｂが、電気接続端子部１２に接触し、スイッチ９の操作により、発光体１を照射させることが可能となる。
図１に示すように、取付具４を、ブラケット部４Ａの上端縁が水平になるようにして、自転車のパイプ部Ｐに取付け、そして、電池ボックス３の前方下端部３Ａを、ブラケット部４Ａに嵌め込んで固定する。
【００１６】
ケーシング１０は、差込凹所１１の開口周縁部１１Ｂが略水平面状となり、電池ボックス３の上方から覆い被せるように組立てられているため、発光体１及び乾電池Ｂが収納される内部空間に雨水が浸入しにくくなっている。しかも、電池ボックス３の凹溝５にて形成される微小な隙間が、毛管現象により、雨水の浸入を確実に防止する。
そして、図７に示すように、電池を交換する際には、硬貨やマイナスドライバー等を谷部８に嵌め込んで捻ることで、電池ボックス３をケーシング１０から簡単に離脱することが可能である。
【００１７】
以上のように、本考案に係る自転車用尾灯は、内部に発光体１を包囲状に有すると共に発光体１から照射される光を透過して後方を照射するための光透過壁部２を一体状に有するケーシング１０と、乾電池Ｂを収納した電池ボックス３とを、備え、さらに、ケーシング１０は、前方下傾状の差込凹所１１を一体状に有し、電池ボックス３を差込凹所１１に、抜き差し自在に差込み、かつ、電池ボックス３の前方下端部３Ａを、自転車のパイプ部Ｐに固着する取付具４に、着脱自在に取付けるので、乾電池Ｂを取り付け用アーム兼用の電池ボックス３に収納でき、コンパクトで、かつ、見た目が良好である。また、乾電池Ｂの交換の際に、ケーシング１０を開閉する必要がなく、光透過壁部２を一体状に接着して、確実にシールすることができ、防水性を確保できる。
【００１８】
また、ケーシング１０の差込凹所１１の奥部１１Ａに、電気接続端子部１２が付設され、さらに、電池ボックス３は、後方上部に開口部３Ｂを有する有底筒型であって、乾電池Ｂが開口部３Ｂから僅かに突出状として収納されているので、例えば、乾電池Ｂとして単４形の乾電池を２個使用した場合であっても、電池ボックス３を角度調整に必要な取り付け用アームとして兼用しているため、ケーシング１０をコンパクトに設計できる。
【００１９】
また、ケーシング１０は、取付具４を介して自転車のパイプ部Ｐに取付けられた使用状態に於て、差込凹所１１の開口周縁部１１Ｂが略水平状の同一平面上に有るように形成され、下方に向けて開口しているので、発光体１及び乾電池Ｂが収納されるケーシング１０及び電池ボックス３の内部空間に雨水が浸入するのを確実に防止できる。
【符号の説明】
【００２０】
１  発光体
２  光透過壁部
３  電池ボックス
３Ａ  前方下端部
３Ｂ  開口部
４  取付具
１０  ケーシング
１１  差込凹所
１１Ａ  奥部
１１Ｂ  開口周縁部
１２  電気接続端子部
Ｂ  乾電池
Ｐ  パイプ部
【図１】
0003166874.tif 000003
【図２】
0003166874.tif 000004
【図３】
0003166874.tif 000005
【図４】
0003166874.tif 000006
【図５】
0003166874.tif 000007
【図６】
0003166874.tif 000008
【図７】
0003166874.tif 000009